(57)【要約】  【課題】  色度調整が容易にできる面光源装置、該面光源装置を用いた液晶表示装置用バックライト及び該液晶表示装置用バックライトを用いた液晶表示装置を提供する。  【解決手段】  面光源装置１は、導光体２、反射板３、蛍光放電灯４、光放出部５、反射器６を備える。蛍光放電灯４から出射された出射光４Ｌは、導光体２の入光面２ａから導光体２へ入射し、導光体２の出光面２ｂから出射光２Ｌとして出射する。光放出部５は入光面２ａと反射器６との間に蛍光放電灯４と平行に配置され、蛍光放電灯４とは異なる色度の光である出射光５Ｌを放出し、入光面２ａから導光体２へ入射するものとする。【選択図】      図１
2005044756.tif 000002
【特許請求の範囲】
【請求項１】
入光面及び出光面を有する導光体と、前記入光面に対向して配置された蛍光放電灯と、該蛍光放電灯からの光を反射して入光面に入射させる反射器とを備える面光源装置において、
前記入光面と前記反射器との間に配置され、前記蛍光放電灯とは色度の異なる光を放出する光放出部を備えることを特徴とする面光源装置。
【請求項２】
前記光放出部は前記蛍光放電灯と平行な方向に配置してあることを特徴とする請求項１記載の面光源装置。
【請求項３】
前記入光面と前記光放出部との間の間隔は、前記入光面と前記蛍光放電灯との間の間隔より大きくなしてあることを特徴とする請求項１又は２記載の面光源装置。
【請求項４】
前記光放出部は前記反射器に向けて光を放出する構成としてあることを特徴とする請求項１ないし３のいずれか一つに記載の面光源装置。
【請求項５】
前記光放出部は互いに発光色の異なる複数の固体発光素子を直線状に配置してあることを特徴とする請求項１ないし４のいずれか一つに記載の面光源装置。
【請求項６】
前記光放出部と前記反射器との間に放熱体を備えることを特徴とする請求項１ないし５のいずれか一つに記載の面光源装置。
【請求項７】
前記光放出部は棒状導光体で構成してあり、前記棒状導光体の端部へ前記色度の異なる光を入射する固体発光素子を更に備えることを特徴とする請求項１ないし４のいずれか一つに記載の面光源装置。
【請求項８】
前記固体発光素子は互いに発光色の異なる複数の固体発光素子であることを特徴とする請求項７記載の面光源装置。
【請求項９】
固体発光素子は発光ダイオードであることを特徴とする請求項５ないし８のいずれか一つに記載の面光源装置。
【請求項１０】
光放出部から放出する光の色度の調整ができる構成としてあることを特徴とする請求項１ないし９のいずれか一つに記載の面光源装置。
【請求項１１】
請求項１ないし１０のいずれか一つに記載の面光源装置を備えることを特徴とする液晶表示装置用バックライト。
【請求項１２】
請求項１１記載の液晶表示装置用バックライトを備えることを特徴とする液晶表示装置。
【発明の詳細な説明】
【技術分野】
【０００１】
本発明は面光源装置、該面光源装置を用いた液晶表示装置用バックライト、該液晶表示装置用バックライトを用いた液晶表示装置に関する。特には蛍光放電灯と色度の異なる光を放出する光放出部を蛍光放電灯と共に反射器の内部に配置した面光源装置、液晶表示装置用バックライト及び液晶表示装置に関する。
【背景技術】
【０００２】
透過型液晶表示装置のバックライトとして面光源装置が用いられている。面光源装置は、蛍光放電灯を用いて液晶表示パネルの背面側から液晶表示パネルへ透過光を入射することにより、液晶表示パネルを液晶表示装置として機能させるものである。
【０００３】
図１１は液晶表示装置用バックライトとして用いられる従来の面光源装置の横側面視の概略を模式的に示す側面図である。図において、１０は面光源装置であり、導光体１２、反射板１３、蛍光放電灯１４、反射器（リフレクタ）１６を備えている。蛍光放電灯１４から放出された出射光１４Ｌは、導光体２の入光面１２ａから導光体１２へ入光し、導光体１２の底面に設けられた反射板１３の反射作用などにより導光体１２の出光面１２ｂから出射光１２Ｌとして出射し、液晶表示パネル２０へ入射する。導光体１２は出光面１２ｂからの出射光１２Ｌにより面光源として作用し、面光源装置１０は液晶表示装置用バックライトとして機能する。また、面光源装置１０と液晶表示パネル２０とが一体化されて液晶表示装置を構成する。
【０００４】
蛍光放電灯１４は、電極温度が低い状態では電流量が少なくなり、発光量も少ない。また、電極温度が上昇すると電流量が増加し、発光量が増える。従来の面光源装置１０においては、発光源として蛍光放電灯１４のみを用いることから、出射光１２Ｌは蛍光放電灯１４の特性変動の影響を直接受けることになる。つまり、電極温度の変動により出射光１２Ｌの輝度が変動し液晶表示画面の視認性が低下するという問題がある。また、蛍光放電灯のみであることから、ホワイトバランス（白色の色度）を調整すること、色バランスを変えて演色効果を付与することなどは困難であるという問題がある。
【０００５】
蛍光放電灯を用いた面光源装置の問題点を解決するために主光源としての蛍光放電灯に加えて補助光源としての発光ダイオードを併用する技術が提案されている（例えば、特開２００１−１３５１１８号公報）。
【０００６】
特開２００１−１３５１１８号公報に記載された面光源装置にあっては、導光体の対向する二つの端面の一方に蛍光放電灯からの出射光を入射する第１の入光面を設け、第１の入光面とは反対側に複数の発光ダイオードからの出射光を入射する第２の入光面を設ける構成とされることから、第１の入光面とは反対側の第２の入光面に新たなスペースが必要になるなど面光源装置としての平面構造が大きくなり、また、反射用、混色用の構成部品が増えるという問題がある。
【特許文献１】特開２００１−１３５１１８号公報
【発明の開示】
【発明が解決しようとする課題】
【０００７】
本発明は、上記の問題点に鑑みてなされたものであり、反射器内側の空間に主光源としての蛍光放電灯と、補助光源として蛍光放電灯とは色度が異なる光を放出する光放出部とを併置するという簡単な構成で白色度などの色度調整が容易にできる面光源装置、該面光源装置を用いた液晶表示装置用バックライト及び該液晶表示装置用バックライトを用いた液晶表示装置を提供することを目的とする。
【課題を解決するための手段】
【０００８】
本発明に係る面光源装置は、入光面及び出光面を有する導光体と、前記入光面に対向して配置された蛍光放電灯と、該蛍光放電灯からの光を反射して入光面に入射させる反射器とを備える面光源装置において、前記入光面と前記反射器との間に配置され、前記蛍光放電灯とは色度の異なる光を放出する光放出部を備えることを特徴とする。
【０００９】
本発明の面光源装置にあっては、入光面と反射器との間に蛍光放電灯及び蛍光放電灯とは色度の異なる光を放出する光放出部を併置することから、簡単な構成で平面形状が小型化すると共に導光体からの出射光の色度の変更、色度の調整が可能な面光源装置となる。
【００１０】
本発明に係る面光源装置においては、前記光放出部は前記蛍光放電灯と平行な方向に配置してあることを特徴とする。
【００１１】
本発明の面光源装置にあっては、光放出部は蛍光放電灯と平行に配置してあることから、導光体の入光面における光放出部からの出射光の均一性を高めることができ、蛍光放電灯からの出射光に対する光放出部からの出射光の作用（色度変更、色度調整）を蛍光放電灯の全長にわたって均等に及ぼすことができる。
【００１２】
本発明に係る面光源装置においては、前記入光面と前記光放出部との間の間隔は、前記入光面と前記蛍光放電灯との間の間隔より大きくなしてあることを特徴とする。
【００１３】
本発明の面光源装置にあっては、入光面と光放出部との間隔を入光面と蛍光放電灯との間隔より大きくすることから、光放出部からの出射光は導光体の入光面に入射する前に反射器の空間内で十分に散乱される。また、光放出部から複数色の出射光を放出する構成とした場合には、複数色の出射光は反射器の空間内で十分に混色される。したがって、光放出部からの出射光の均一性及び混色度を高めて、導光体の入光面に入射する。
【００１４】
本発明に係る面光源装置においては、前記光放出部は前記反射器に向けて光を放出する構成としてあることを特徴とする。
【００１５】
本発明の面光源装置にあっては、光放出部からの出射光を反射器に向けて放出する構成としてあるので、光放出部からの出射光が導光体の入光面へ入射するまでの経路を更に長くすることができ、光放出部からの出射光の均一性と混色度を更に高めて、導光体の入光面に入射する。
【００１６】
本発明に係る面光源装置においては、前記光放出部は互いに発光色の異なる複数の固体発光素子を直線状に配置してあることを特徴とする。
【００１７】
本発明の面光源装置にあっては、互いに発光色の異なる複数の固体発光素子を直線状に配置して光放出部を構成することから、発光色を制御することができるので、光放出部からの出射光の色度の制御を容易かつ精密にできる。また、固体発光素子を用いることから、信頼性の向上、長寿命化が図れる。
【００１８】
本発明に係る面光源装置においては、前記光放出部と前記反射器との間に放熱体を備えることを特徴とする。
【００１９】
本発明の面光源装置にあっては、光放出部と反射器との間に放熱体を備えことから、光放出部に加わる熱及び光放出部で発生する熱が放熱体を介して反射器の外部に放熱されるので、光放出部における固体発光素子に対する放熱対策が容易かつ確実にでき、固体発光素子の動作の安定性と信頼性を向上でき、長寿命化が図れる。
【００２０】
本発明に係る面光源装置においては、前記光放出部は棒状導光体で構成してあり、前記棒状導光体の端部へ前記色度の異なる光を入射する固体発光素子を更に備えることを特徴とする。
【００２１】
本発明の面光源装置にあっては、光放出部を棒状導光体で構成し、棒状導光体の端部へ蛍光放電灯とは色度の異なる光を入射する固体発光素子を備えるので、固体発光素子を蛍光放電灯からの放熱の影響を受け難い位置へ離して配置できる。したがって、蛍光放電灯から固体発光素子への熱的影響を低減でき、固体発光素子に対する放熱対策が容易かつ確実にでき、固体発光素子の動作の安定性と信頼性を向上でき、長寿命化が図れる。
【００２２】
本発明に係る面光源装置においては、前記固体発光素子は互いに発光色の異なる複数の固体発光素子であることを特徴とする。
【００２３】
本発明の面光源装置にあっては、固体発光素子は互いに発光色の異なる複数の固体発光素子で構成することから、発光色を制御することができるので、光放出部（棒状導光体）からの出射光の色度の制御を容易かつ精密にできる。
【００２４】
本発明に係る面光源装置においては、固体発光素子は発光ダイオードであることを特徴とする。
【００２５】
本発明の面光源装置にあっては、固体発光素子として発光ダイオードを用いることから、制御性及び信頼性が向上し、色度の調整が容易になる。
【００２６】
本発明に係る面光源装置においては、光放出部から放出する光の色度の調整ができる構成としてあることを特徴とする。
【００２７】
本発明の面光源装置にあっては、光放出部から放出する光の色度を調整できる構成としてあることから、所望の色度を実現する。
【００２８】
本発明に係る液晶表示装置用バックライトは、本発明に係る面光源装置を備えることを特徴とする。
【００２９】
本発明の液晶表示装置用バックライトにあっては、本発明に係る面光源装置を備えることから色度を変更でき、また色度の調整ができる液晶表示装置用バックライトとなり、液晶表示装置の色度調整を容易にする。
【００３０】
本発明に係る液晶表示装置は、本発明に係る液晶表示装置用バックライトを備えることを特徴とする。
【００３１】
本発明の液晶表示装置にあっては、本発明に係る液晶表示装置用バックライトを備えることから、色度調整可能な液晶表示装置となる。
【発明の効果】
【００３２】
本発明によれば、反射器内に蛍光放電灯と光放出部とを併置する構成とすることから、色度の変更、調整が可能であり、簡単な構成で、平面形状を小型化した面光源装置、液晶表示装置用バックライト及び液晶表示装置を容易に提供することができる。つまり、高度な色管理が可能な面光源装置、液晶表示装置用バックライト及び液晶表示装置を提供でき、色再現性に優れた液晶表示装置を実現することができる。
【００３３】
本発明によれば、光放出部からの出射光の均一性及び混色度を高めて導光体の入光面に入射できるので、導光体の出光面からの出射光における色ムラを低減（混色度を向上）した均一性の高い面光源装置を提供することができる。
【００３４】
本発明によれば、互いに発光色の異なる複数の固体発光素子を直線状に配置して光放出部を構成することから、発光色の制御が容易にできるので、光放出部からの出射光の色度の制御を容易かつ精密にできる面光源装置を提供することができる。また、固体発光素子を用いるので長寿命で信頼性の高い面光源装置を提供することができる。
【００３５】
本発明によれば、放熱体を備えるので、蛍光放電灯から固体発光素子への熱的影響を低減でき個体発光素子の動作の安定性と信頼性を向上した長寿命の面光源装置を提供することができる。
【００３６】
本発明によれば、光放出部から離れた位置に固体発光素子を備える構成とするので、固体発光素子への蛍光放電灯の放熱の影響を防止でき、固体発光素子の動作の安定性と信頼性を向上した長寿命の面光源装置を提供することができる。また、固体発光素子は互いに発光色の異なる複数の固体発光素子で構成することから、発光色を制御することができるので、光放出部（棒状導光体）からの出射光の色度の制御を容易かつ精密にできる面光源装置を提供することができる。
【００３７】
本発明によれば、固体発光素子として発光ダイオードを用いることから、制御性及び信頼性が向上し、色度の調整が容易な面光源装置を提供することができる。
【発明を実施するための最良の形態】
【００３８】
図１は実施の形態１に係る面光源装置の横側面視の概略を模式的に示す側面図である。図において、１は面光源装置であり、導光体２、反射板３、蛍光放電灯４、光放出部５、反射器（リフレクタ）６を備える。蛍光放電灯４から放出された出射光４Ｌは、導光体２の入光面２ａから導光体２へ入射し、導光体２の底面に設けられた反射板３の反射作用、導光体２の内部での散乱作用、屈折作用などにより導光体２の出光面２ｂから出射光２Ｌとして出射する。導光体２は出光面２ｂからの出射光２Ｌにより面光源として作用する。
【００３９】
２０は面光源装置１を液晶表示装置用バックライトとして使用する液晶表示パネルであり、液晶を封入した２枚のガラス板、偏光版、拡散板などで構成されている。出光面２ｂは通常は平面形状とされ、液晶表示パネル２０の背面に対向して配置される。この配置により面光源装置１は液晶表示装置用バックライトとして作用する。また、面光源装置（液晶表示装置用バックライト）１及び液晶表示パネル２０により液晶表示装置が構成される。
【００４０】
蛍光放電灯４は円管状であり、矩形状の入光面２ａに対向して配置される。蛍光放電灯４はその長さ方向において、蛍光放電灯４からの出射光４Ｌを入光面２ａに均一に入射することにより出光面２ｂから均一な出射光２Ｌが出射されるように構成されている。反射器６は蛍光放電灯４から円管状の周囲全方向へ向けて出射される光（出射光４Ｌ）を反射して、入光面２ａに集光し、出射光４Ｌを効率良く導光体２へ入射できるように、入光面２ａに対向して配置される構成としてある。
【００４１】
光放出部５は入光面２ａと反射器６との間に入光面２ａに対向して配置され、蛍光放電灯４とは異なる色度の光である出射光５Ｌを放出する構成とされる。光放出部５は、蛍光放電灯４に対し平行に配置される。光放出部５は、例えば複数の固体発光素子を帯状の基板に配置して構成される。光放出部５は、蛍光放電灯４に対し平行に配置することにより、出射光４Ｌに対する出射光５Ｌの補助作用（色度変更、色度調整）を蛍光放電灯４の全長にわたって均一に及ぼすことができる。複数の固体発光素子としては、発光ダイオード（ＬＥＤ）、エレクトロルミネッセンス（ＥＬ）などを適用できる。固体発光素子の発光色としては光の３原色である赤、緑、青などを用いることができる。
【００４２】
光放出部５において、複数色を用い、色度の調整が可能な構成とすることにより、特定色の色度の制御だけでなく、幅広い色度の調整が可能となる。色度の調整は、例えば光放出部５に設けた発光源（不図示）に流す電流を制御することにより行う。なお、光放出部５は複数色を用いる場合に限らず、単色で構成され、特定の色を強調できる面光源装置１とすることもできる。
【００４３】
例えば蛍光放電灯４に白色度のバラツキがある場合、補助光源としての光放出部５から適宜な色度の出射光５Ｌを放出することにより、面光源装置１の出射光２Ｌにおける白色度のバラツキを解消することができる。また、例えば液晶表示装置の表示画面の色温度を上げるときは、青色の固体発光素子の輝度を上げる。このように蛍光放電灯４を動作させた状態で、補助光源となる光放出部５での光の色度（発光強度）を変更、調整して、出射光５Ｌの色度を変化させることにより、液晶表示パネル（表示画面）２０のダイナミックレンジ（表示画面の表示色の調整幅）は変化させずに、表示画面の色度を変化させ、所望の色度の表示画面を得ることができる。
【００４４】
なお、実施の形態１に係る面光源装置１の平面視は、実施の形態２の平面視と略同様であり、後述する図３を参照して、理解することができる。つまり、図３において蛍光放電灯４と光放出部５とが重なった状態の平面視となる。
【００４５】
図２は実施の形態２に係る面光源装置の横側面視の概略を模式的に示す側面図である。図３は図２における面光源装置の平面視（図２の矢印Ａ方向から見た状態）の概略を模式的に示す平面図である。基本構成は実施の形態１の面光源装置１と同様であり、同一部分には同一符号を付して詳細な説明は適宜省略する。
【００４６】
実施の形態２に係る面光源装置１は、入光面２ａと蛍光放電灯４との間の間隔ｄ１に対し、入光面２ａと光放出部５との間の間隔ｄ２をより大きくなしてあるものである。間隔ｄ２を間隔ｄ１に比較して大きくすることにより、光放出部５から放出された出射光５Ｌは入光面２ａに入射する前に反射器６の空間内で十分に散乱され、また、複数色の場合には十分に混色される。反射器６の空間内で出射光５Ｌを十分に散乱し、混色することにより、入光面２ａに入射する出射光５Ｌの均一性及び混色度を高めることができる。出射光５Ｌの色ムラを低減（混色度を向上）できるので、出射光２Ｌに対する均一性の高い色度調整が可能となる。混色作用は光放出部５の光（出射光５Ｌ）として相互に色の異なる複数色を同時に放出させた場合に特に有効である。
【００４７】
光放出部５は蛍光放電灯４と同様に長さ方向に一体化された例（図３）を示すが、適宜な長さで複数に分割されていても良い。光放出部５を分割した場合には、蛍光放電灯４が長く、光放出部５の一体化が困難なときにも適用することができる。
【００４８】
図４は実施の形態３に係る面光源装置の横側面視の要部概略を模式的に示す側面図である。基本構成は実施の形態１、実施の形態２の面光源装置１と同様であるので、要部のみを示し、同一部分には同一符号を付して詳細な説明は適宜省略する。なお、実施の形態３に係る面光源装置１の平面視は、実施の形態２の図３と略同様に表されることは言うまでもない。
【００４９】
実施の形態３に係る面光源装置１は、光放出部５からの出射光５Ｌを反射器６に向けて放出する構成としたものである。つまり、光放出部５から放出された出射光５Ｌは反射器６により反射された後、入光面２ａに入射することになるので、出射光５Ｌは入光面２ａに入射する前に反射器６の空間内で十分に混色され、均一化される。
【００５０】
例えば、入光面２ａと光放出部５との間の間隔を実施の形態１、実施の形態２の場合と同一にした場合でも、出射光５Ｌの反射器６の空間内での経路（光放出部５ー反射器６ー入光面２ａ）は実施の形態１、実施の形態２の場合での経路（光放出部５ー入光面２ａ）より長くなるので、入光面２ａに入射する出射光５Ｌの均一性、混色度を更に高めることができ、更に大きな効果が得られる。
【００５１】
図５は実施の形態４に係る面光源装置の横側面視の要部概略を模式的に示す側面図である。基本構成は実施の形態１の面光源装置１と同様であるので、要部のみを示し、同一部分には同一符号を付して詳細な説明は適宜省略する。
【００５２】
実施の形態４に係る面光源装置１は、実施の形態１の面光源装置１に対し、光放出部５と反射器６との間に放熱体７を設けたものである。放熱体７は光放出部５及び反射器６に密着しており、蛍光放電灯４から光放出部５へ放射される熱及び光放出部５自体が発生する熱を反射器６の外部に放出することができる。光放出部５が備える固体発光素子の放熱を行うことができ、固体発光素子の発光特性をより安定にする。つまり、固体発光素子の動作特性を安定化できるので、安定した出射光５Ｌを出射することができ、固体発光素子（面光源装置１）の信頼性を高めることができる。
【００５３】
図６は実施の形態５に係る面光源装置の横側面視の要部概略を模式的に示す側面図である。基本構成は実施の形態２の面光源装置１と同様であるので、要部のみを示し、同一部分には同一符号を付して詳細な説明は適宜省略する。
【００５４】
実施の形態５に係る面光源装置１は、実施の形態２の面光源装置１に対し、光放出部５と反射器６との間に放熱体７を設けたものである。放熱体７は光放出部５及び反射器６に密着しており、蛍光放電灯４から光放出部５へ放射される熱及び光放出部５自体が発生する熱を反射器６の外部に放出することができる。光放出部５が備える固体発光素子の放熱を行うことができ、固体発光素子の発光特性をより安定にする。つまり、固体発光素子の動作特性を安定化できるので、安定した出射光５Ｌを出射することができ、固体発光素子（面光源装置１）の信頼性を高めることができる。
【００５５】
図７は実施の形態６に係る面光源装置の横側面視の要部概略を模式的に示す側面図である。基本構成は実施の形態３の面光源装置１と同様であるので、要部のみを示し、同一部分には同一符号を付して詳細な説明は適宜省略する。
【００５６】
実施の形態６に係る面光源装置１、実施の形態３の面光源装置１に対し、光放出部５と反射器６との間に放熱体７を設けたものである。放熱体７は光放出部５及び反射器６に密着しており、蛍光放電灯４から光放出部５へ放射される熱及び光放出部５自体が発生する熱を反射器６の外部に放出することができる。光放出部５が備える固体発光素子の放熱を行うことができ、固体発光素子の発光特性をより安定にすることができる。つまり、固体発光素子の動作特性を安定化できるので、の安定した出射光５Ｌを出射することができ、固体発光素子（面光源装置１）の信頼性を高めることができる。
【００５７】
図８は光放出部の例を模式的に示す分解斜視図である。光放出部５は帯状の配線基板５１、配線基板５１に対向する矩形部を有する柱状のレンズ部５２とを備える。レンズ部５２の断面形状は半円状、半楕円状、角部に曲率を持たせた台形状など適宜変更することができる。配線基板５１の上には複数の発光素子（赤色を発光する固体発光素子５１Ｒ、緑色を発光する固体発光素子５１Ｇ、青色を発光する固体発光素子５１Ｂ）がそれぞれ複数、直線状に配置される。配線基板５１としては、耐熱性、絶縁性に優れた樹脂基板が適している。固体発光素子５１Ｒ、５１Ｇ、５１Ｂとしては、実装の容易性、発光制御の容易性、発光色の安定性、色度の制御性などから、発光ダイオード（ＬＥＤ）を用いた。
【００５８】
より均一な出射光５１Ｌを得るためには固体発光素子５１Ｒ、５１Ｇ、５１Ｂの実装密度を上げれば良いが、実装密度は面光源装置として要求される光学特性、消費電力特性などを考慮して決定する。また、固体発光素子５１Ｒ、５１Ｇ、５１Ｂを２列（図８）、３列などの複数列にすることも可能である。この際、列相互間において、固体発光素子５１Ｒ、５１Ｇ、５１Ｂの位置を適宜ずらすことが出射光５１Ｌの均一性の点から好ましい。
【００５９】
固体発光素子５１Ｒ、５１Ｇ、５１Ｂから放出された出射光５１Ｌは、レンズ部５２により混色、拡散されて、レンズ部５２を用いない場合に比較して更に均一性を高めて出射光５２Ｌ（出射光５Ｌ）を放出することができる。また、固体発光素子５１Ｒ、５１Ｇ、５１Ｂの表面に光散乱用の樹脂を被覆することにより、出射光５Ｌの均一性を更に高めることができる。
【００６０】
固体発光素子５１Ｒ、５１Ｇ、５１Ｂを直線状に配置して光放出部を構成することから、蛍光放電灯４に対向した光放出部５とすることができ、光放出部５の作用を十分なものとすることができる。互いに発光色の異なる複数の固体発光素子５１Ｒ、５１Ｇ、５１Ｂの発光を制御することにより、固体発光素子５１Ｒ、５１Ｇ、５１Ｂから放出される出射光５１Ｌを容易に制御することができるので、出射光５２Ｌ（出射光５Ｌ）の色度の制御を容易かつ精密にできる。
【００６１】
固体発光素子５１Ｒ、５１Ｇ、５１Ｂの発光の制御は、固体発光素子（発光ダイオード）５１Ｒ、５１Ｇ、５１Ｂに流す電流を適宜調整することにより可能であり、これにより出射光５２Ｌ（出射光５Ｌ）の色度を調整することができる。また、固体発光素子（発光ダイオード）を用いることから、信頼性の向上、長寿命化が図れる。なお、単色についてのみの色度を変更、調整する場合には固体発光素子５１Ｒ、５１Ｇ、５１Ｂのいずれかのみの構成とすることもできるし、いずれかのみを発光させる構成としても良い。
【００６２】
図９は光放出部の他の例を模式的に示す分解斜視図である。光放出部５は棒状導光体５３と、赤色を発光する固体発光素子５４Ｒ、緑色を発光する固体発光素子５４Ｇ、青色を発光する固体発光素子５４Ｂとを備える。固体発光素子５４Ｒ、５４Ｇ、５４Ｂから放出された出射光５４Ｌは、棒状導光体５３の端部５３ｔへ入射され、棒状導光体５３の半径方向に出射光５３Ｌ（出射光５Ｌ）を放出することができる。固体発光素子５４Ｒ、５４Ｇ、５４Ｂとしては、実装の容易性、発光制御の容易性、発光色度の安定性などから、発光ダイオード（ＬＥＤ）を用いた。
【００６３】
互いに発光色の異なる複数の固体発光素子５４Ｒ、５４Ｇ、５４Ｂの発光を制御することにより、固体発光素子５４Ｒ、５４Ｇ、５４Ｂから放出される出射光５４Ｌを容易に制御することができるので、出射光５３Ｌ（出射光５Ｌ）の色度の制御を容易かつ精密にできる。また、固体発光素子を用いることから、信頼性の向上、長寿命化が図れる。なお、単色についてのみの色度を変更する場合には単色とすることもできる。
【００６４】
棒状導光体５３は輝線の発生を防止し、均一な出射光５３Ｌ（出射光５Ｌ）を放出することができる丸棒状とすることが好ましいが、断面は完全な円（丸）に限らず楕円状のようにしても良い。また、出射光５３Ｌ（出射光５Ｌ）は半径方向の全方位に放出するようにしても良いが、棒状導光体５３の外周に例えば半円筒状の反射体を設けて指向性を持たせても良い。
【００６５】
光放出部５を棒状導光体５３で構成し、固体発光素子５４Ｒ、５４Ｇ、５４Ｂからの出射光５４Ｌを棒状導光体５３の端部５３ｔへ入射する構成とするので、固体発光素子５４Ｒ、５４Ｇ、５４Ｂを蛍光放電灯４からの放熱の影響を受け難い位置へ離して配置することができ、固体発光素子に対する放熱対策が容易になり、固体発光素子の動作の安定性と信頼性を向上でき、長寿命化が図れる。
【００６６】
図１０は本発明に係る面光源装置を用いて輝度及び色度を調整できる構成とした本発明に係る液晶表示装置の例を示す概念図である。液晶表示装置に用いる面光源装置１は実施の形態１ないし実施の形態６での面光源装置１と同様であり、同一部分には同一符号を付して詳細な説明は省略する。
【００６７】
面光源装置１及び液晶表示パネル２０は一体化され、液晶表示装置の筐体２１の中に収納されて実装される。筐体２１の底面（液晶表示パネル２０と反対の側）には反射板３に対向して光検出用窓部２１ａが形成されている。光検出用窓部２１ａからは反射板３を介して漏洩する漏洩光２１Ｌが筐体２１の外部へ放出される。光検出用窓部２１ａの外部には輝度センサ２２、色度センサ２３が配置されている。漏洩光２１Ｌは輝度センサ２２、色度センサ２３により輝度、色度を測定される。輝度センサ２２での測定結果は蛍光放電灯４の輝度を調整する輝度調整手段２４へ入力（フィードバック）され、蛍光放電灯４の輝度を調整する。色度センサ２３での測定結果は光放出部５の輝度を調整する輝度調整手段２５へ入力（フィードバック）され、光放出部５の輝度を調整する。
【００６８】
蛍光放電灯４の輝度調整、光放出部５の輝度調整により、出射光４Ｌの輝度及び出射光５Ｌの色度を所望の値に調整することができる。出射光４Ｌ及び出射光５Ｌを調整することにより、液晶表示パネル２０へ入射する出射光２Ｌを所望の輝度及び色度に調整できるので、所望の輝度及び色度を有する液晶表示装置を実現することができる。なお、光放出部５として図８、図９に示したものを利用できることは言うまでもない。
【図面の簡単な説明】
【００６９】
【図１】実施の形態１に係る面光源装置の横側面視の概略を模式的に示す側面図である。
【図２】実施の形態２に係る面光源装置の横側面視の概略を模式的に示す側面図である。
【図３】図２における面光源装置の平面視（図２の矢印Ａ方向から見た状態）の概略を模式的に示す平面図である。
【図４】実施の形態３に係る面光源装置の横側面視の要部概略を模式的に示す側面図である。
【図５】実施の形態４に係る面光源装置の横側面視の要部概略を模式的に示す側面図である。
【図６】実施の形態５に係る面光源装置の横側面視の要部概略を模式的に示す側面図である。
【図７】実施の形態６に係る面光源装置の横側面視の要部概略を模式的に示す側面図である。
【図８】光放出部の例を模式的に示す分解斜視図である。
【図９】光放出部の他の例を模式的に示す分解斜視図である。
【図１０】本発明に係る面光源装置を用いて輝度及び色度を調整できる構成とした本発明に係る液晶表示装置の例を示す概念図である。
【図１１】液晶表示装置用バックライトとして用いられる従来の面光源装置の横側面視の概略を模式的に示す側面図である。
【符号の説明】
【００７０】
１  面光源装置
２  導光体
２ａ  入光面
２ｂ  出光面
２Ｌ  出射光
３  反射板
４  蛍光放電灯
４Ｌ  出射光
５  光放出部
５Ｌ  出射光
６  反射器（リフレクタ）
７  放熱体
５１Ｒ、５１Ｇ、５１Ｂ  固体発光素子（発光ダイオード）
５３  棒状導光体
５４Ｒ、５４Ｇ、５４Ｂ  固体発光素子（発光ダイオード）
【図１】
2005044756.tif 000003
【図２】
2005044756.tif 000004
【図３】
2005044756.tif 000005
【図４】
2005044756.tif 000006
【図５】
2005044756.tif 000007
【図６】
2005044756.tif 000008
【図７】
2005044756.tif 000009
【図８】
2005044756.tif 000010
【図９】
2005044756.tif 000011
【図１０】
2005044756.tif 000012
【図１１】
2005044756.tif 000013